(57)【特許請求の範囲】
【請求項１】
第１腰部領域と、
第１腰部領域の反対側の第２腰部領域と、
第１腰部領域と第２腰部領域の間に配置されるクロッチ領域と、
液体不透過性バックシートと、
身体に面する表面および反対側の着衣に面する表面を有する、方向について優先性のある汚物通過部材であって、前記身体に面する表面のすくなくとも一部が、身体滲出物が着用者の皮膚から一般的に離れる第１の方向に前記汚物通過部材を通過することを可能とする様に身体滲出物と接触するとき溶解することが可能である可溶性材料を含み、前記着衣に面する表面のすくなくとも一部が前記第１の方向と一般的に反対側の第２の方向に身体滲出物が貫通することに抵抗するバリア材料を含み、汚物で活性化されるバリア部材が前記クロッチ領域のすくなくとも一部に配置されている汚物通過部材と、
前記バックシートと前記汚物通過バリア部材との間に位置する吸収性コアと
を含む吸収製品。
【請求項２】
前記汚物通過部材のすくなくとも一部と前記吸収性コアのすくなくとも一部との間に位置するトップシートをさらに含む請求項１記載の吸収製品。
【請求項３】
製品が着用されるとき、前記汚物通過部材と前記吸収性コアとの間に位置するボイドをさらに含む請求項１または２記載の吸収製品。
【請求項４】
前記汚物通過部材と前記吸収性コアとの間に位置する離間部材をさらに含み、製品が着用されるときその離間部材が前記吸収性コアから前記汚物通過部材のすくなくとも一部を離間させる、請求項１ないし３のいずれか１項記載の吸収製品。
【請求項５】
身体の滲出物が着用者の皮膚に接触することを防止する製品であって、
身体に面する表面および反対側の着衣に面する表面を有する、方向について優先性のある汚物通過部材を備え、
前記汚物通過部材の身体に面する表面のすくなくとも一部が、身体滲出物が着用者の皮膚から一般的に離れる第１の方向に前記汚物通過部材を通過することを可能とする様に、身体の滲出物と接触したとき溶解し得る可溶性材料または身体の滲出物において見出される酵素と接触したとき分解する酵素分解性材料を含み、
前記汚物通過部材の着衣に面する表面のすくなくとも一部が前記第１の方向と一般的に反対側の第２の方向に身体滲出物が貫通することに抵抗するバリア材料を含むことを特徴とする製品。
【請求項６】
前記可溶性材料が、好ましくはポリビニルアルコール、セルロース性材料、でんぷん、ポリビニルアニリン、ポリアクリルアミド、アルギネートおよび水溶性アルキド組成物、およびそれらの誘導体からなる群より選択される水溶性材料、または溶解性材料が不溶性から可溶性に変化するしきい値を有する塩濃度感受性材料、好ましくはクラウンエーテル、または、前記可溶性材料が不溶性から可溶性に変化するしきい値を有する、好ましくはワックス、ペクチンまたはゼラチンからなる群より選択される温度感受性材料を含む、請求項１ないし５のいずれか１項記載の製品。
【請求項７】
前記可溶性材料がフィルムを含む請求項１ないし６のいずれか１項記載の製品。
【請求項８】
前記可溶性材料が、該可溶性材料が不溶性から可溶性に変化するｐＨしきい値を有するｐＨ感受性材料を含み、前記ｐＨしきい値が約５．５ないし約８．５であり、前記可溶性材料が好ましくは、ポリアクリルアミド、フタレート誘導体、ホルマリン処理されたゼラチン、シェラック、ケラチン、セルロース誘導体、ポリアクリル酸誘導体および酢酸ビニルからなる群より選択される請求項１ないし７のいずれか１項記載の製品。
【請求項９】
前記可溶性材料の溶解性を変化させるように身体の滲出物と接触したとき製品の温度、塩濃度、ｐＨの変化をもたらす、前記汚物通過部材に隣接して配置される酵素をさらに含む請求項６または８記載の製品。
【請求項１０】
前記可溶性材料に隣接して配置される加水分解基質をさらに含み、その加水分解基質は、前記可溶性材料の溶解性を変化させるように大便の酵素により加水分解されたとき製品の温度、塩濃度、ｐＨ変化をもたらす請求項６または８記載の製品。
【請求項１１】
前記バリア材料が、シリコーン、オイル、ワックス、およびポリテトラフルオロエチレン系組成物からなる群より選択される請求項１ないし１０のいずれか１項記載の製品。
【請求項１２】
前記汚物通過部材の身体に面する表面上にあるかまたはそれと一体である身体粘着組成物をさらに含み、その身体粘着組成物は好ましくは、ゼラチン、シリコーン、オイル、ワックス、ヒドロコロイド、およびヒドロゲル接着剤からなる群より選択される請求項１ないし１１のいずれか１項記載の製品。
【請求項１３】
前記身体粘着組成物が前記汚物通過部材の身体に面する表面の周囲のすくなくとも一部に近接して配置される請求項１２記載の製品。
【請求項１４】
前記可溶性材料または酵素分解性材料が、製品が着用されるとき着用者の肛門または尿道に近接するように位置する請求項１ないし１３のいずれか１項記載の製品。
【請求項１５】
前記汚物通過部材が空隙を有する網状不溶性部材を含み、前記空隙のすくなくとも一部が前記可溶性材料または酵素分解性材料をその中に配置させている請求項１ないし１４のいずれか１項記載の製品。
【請求項１６】
前記汚物通過部材が少なくとも１つのスリット、ホール、穿孔または柔弱化された領域を含む請求項１ないし１５のいずれか１項記載の製品。
【請求項１７】
前記汚物通過部材のすくなくとも一部が弾性的に伸長性である請求項１ないし１６のいずれか１項記載の製品。
【発明の詳細な説明】
【０００１】
発明の分野
本発明は、身体から排出される汚物による皮膚の汚染を減少させるために、別々に、またはおむつ、成人失禁製品、生理用ナプキンなどの様な吸収製品と組み合わせて用いられ得る、方向性について優先性を持つ汚物通過部材に関する。特に、本発明は、身体滲出物が１方向に部材を通過することを可能とするが、逆方向に部材を通過する滲出物の動きを制限する１以上の汚物通過部材を含む使い捨て吸収製品に関する。
【０００２】
発明の背景
おむつおよび成人失禁ブリーフのような吸収製品の主要機能は、身体滲出物が着用者との接触に至るであろう被服または寝具のような他の製品を汚し、濡らし、またはさもなければ汚染することを防止することである。最近では、ビュエル（Ｂｕｅｌｌ）らに発行された米国特許第５，１５１，０９２号において開示されたもののような使い捨ておむつは極めてポピュラーになり、一般的に、その便利さと信頼性のために持続的な布の吸収製品に置き換わっている。しかしながら、その様な使い捨て吸収製品の有効性にもかかわらず、滲出物が着用者の皮膚を汚し、および／または刺激する様に、身体滲出物はしばしば漏れ、またはおむつの中に溜まる。加えて、身体滲出物はしばしば皮膚に強烈に粘着し、清浄化の困難さを増加させ、長時間の残留汚染の傾向を増加させる。
【０００３】
漏れおよび／または不適切な封入、困難な清浄化、および／または残留皮膚汚染の望ましからぬ効果は特に、おむつに溜まった糞便について明瞭である。おむつの中に含まれる便は、時間を掛けて着用者の皮膚を害し得るし、おむつから漏れる便はほとんど常に不快で面倒な清浄化の問題を提起する。従って、トップシートを横切る糞便の動きを制限するために、および／またはおむつの中に糞便をよりよく閉じ込めるために、バリア、ポケット、スペーサー、横方向バリアなどのような幾つかの試みがおむつに特徴を加えるためになされてきた。しかしながら、その様な試みは、そのコストと複雑さにより一般的に不成功に終わった。また、トップシートに身体からの汚物が抵抗なしに通過し得る大きな開孔を与える幾つかの試みもなされてきた。（臀部に与えられる製品の開孔の例は、１９８８年７月２２日に出願され、１９９０年２月１日に公開された特開平２-３１７５６号において開示されている。）しかしながら、その様な態様は使用する上で困難である。と言うのは、何らかの利益を提供するために、介護者は、開孔を着用者の肛門および／または尿道に適切に調整しなければならないからである。これは、動く子供におむつを取り付ける時又はそのヒト自身に着衣を適合させるときに特に困難な作業である。更に、開孔は、有効であるためにおむつが着用されている時間にわたって適切な位置ににいくらかは維持されていなければならない。
【０００４】
従って、便および他の身体滲出物が着用者の皮膚から離れているままにすることを補助する要素を提供することが望ましいであろう。更に、経済的な使い捨て製品に着用者または介護者に対する便または他の身体からの汚物の有害な影響を最小化させる能力を与えることが有益であろう。身体滲出物を１方向に通過させることを可能とするがしかし反対方向への通過を抑制する吸収製品と組み合わせて用いられ得る製品を提供することもまた有益であろう。身体滲出物が身体から排出されるのに応答するのが必要な場合に身体滲出物が通過し得る開孔を提供する使い捨て製品と組み合わせて用いられ得るバリアシートを提供することもまた望ましいであろう。最後に、皮膚から離れていく身体滲出物により溶解され得るが皮膚に逆戻りするそのような滲出物の通過に対して抵抗があるそのようなバリアシートを提供することが有益であろう。
【０００５】
発明の概要
使い捨て製品は、第１腰部領域、反対側の第２腰部領域、および第１腰部領域と第２腰部領域との間に配置されるクロッチ領域を有する。吸収製品は好ましくは、液体不透過性バックシート材料、方向について優先性がある汚物通過部材およびバックシートと汚物通過部材との間に配置される吸収性コアを含む。汚物通過部材は、好ましくは、身体に面する表面および反対側の着衣に面する表面を有するシート、身体滲出物が汚物通過部材を通過することを可能とする様に身体滲出物と接触するとき溶解可能な溶解性材料を含む汚物通過部材の身体に面する表面の少なくとも一部を含む。汚物通過部材の着衣に面する表面のすくなくとも一部は、好ましくは、前記身体滲出物の貫通に抵抗するバリア材料を含む。汚物通過部材は、好ましくは、吸収製品のクロッチ領域の少なくとも一部に配置される。
【０００６】
発明の詳細な説明
ここで用いられるものとして、「吸収製品」と言う術語は、身体滲出物を吸収し、含有するデバイスを称し、特に、身体から排出されるさまざまの滲出物を吸収し、含有するために、着用者の身体に当接または近接して配置されるデバイスを称する。「滲出物」および「身体由来の汚物（ｂｏｄｉｌｙ  ｗａｓｔｅ）」と言う術語は、本明細書では、尿、便、血液、粘液、膿、油およびそれらの組み合わせおよびヒトの身体から排出される他の物体を意味するものとして用いられる。「使い捨て」と言う術語は、本明細書では、洗濯されるかまたはさもなければ吸収製品として修復されるかまたは再使用されることが一般的に意図されない吸収製品を記述するために用いられる（すなわち、それらは、一回の使用の後に廃棄され、好ましくは、リサイクルされ、堆肥化され、またはさもなければ環境に適合する様式で廃棄されることが意図される）。（本明細書で用いられるものとして、「配置される」と言う術語は、おむつの要素がおむつの他の要素と一体的な構造として、またはおむつの別の要素に結合した分離要素として特定の場所また配置において成形される（結合するおよび位置する）ことを意味するために用いられる。ここで用いられるものとして、「結合した（ｊｏｉｎｅｄ）」と言う術語は、ある要素を直接他の要素に固着させることによりある要素が直接別の要素に固定される形状、およびある要素を中間部材に固着させ、それが今度は他の要素に固着されることによりある要素が別の要素に間接的に固定される形状を包含する。）「一体的」吸収製品とは、それが別々のホルダーとライナーのような分離した手で取り扱う部分を必要としないように調和した全体を作るように互いに統一された分離した部分で形成される吸収製品を称する。本発明の吸収製品の好ましい態様は、図１において示される一体的使い捨て吸収製品のおむつ２０である。本明細書で用いられるものとして、「おむつ」と言う術語は、一般的に、幼児および失禁者により胴体下部のまわりに着用される吸収製品を称する。本発明はまた、失禁ブリーフ、失禁下着、吸収性挿入物、おむつホルダーおよびライナー、タンポン、生理用パッドおよび陰唇間デバイスのような女性用衛生ガーメント、ワイプ、モップ、包帯などの様な他の吸収性および非吸収性製品にも適用可能である。
【０００７】
図１は、構造の一部がおむつ２０の構成をより明確に示すために切欠されている平坦に伸ばされた状態の本発明のおむつ２０の平面図である。着用者に面するおむつ２０の部分は、見る者に向かって配向されている。図１において示されるように、おむつ２０は好ましくは、液体透過性トップシート２４、液体不透過性バックシート２６、好ましくはトップシート２４とバックシート２６のすくなくとも一部の間に位置する吸収性コア２８、サイドパネル３０、弾性脚部カフス３２、弾性腰部要素３４、および一般的に４０と称されるファスナーシステムを具備する。おむつ２０は、図１において、第１腰部領域３６、第１腰部領域３６の反対側の第２腰部領域３８および第１腰部領域と第２腰部領域の間に位置するクロッチ領域３７を有するものとして示される。おむつ２０の周囲は、縦エッジ５０が一般的におむつ２０の縦中心線１００に平行に走行し、エンドエッジ５２が一般的におむつ２０の横中心線１１０に平行な縦エッジ５０のあいだに走行するおむつ２０の外側エッジにより規定される。
【０００８】
おむつ２０のシャーシ２２はおむつ２０のメインボディを具備する。シャーシ２２は、吸収性コア２８および好ましくはトップシート２４とバックシート２６を含む外側カバー層の少なくとも一部を含む。もし吸収製品が別々のホルダーとライナーを具備するならば、シャーシ２２は一般的にホルダーとライナーを具備する。（例えば、ホルダーは、製品の外側カバーを形成するように１以上の層の材料を具備し得るし、ライナーは、トップシート、バックシート、および吸収性コアを含む吸収性アセンブリを具備し得る。その様な場合において、ホルダーおよび／またはライナーは、使用の時間全体にわたって適所にライナーを保持するために用いられるファスナー要素を含み得る。）一体的吸収製品のためには、シャーシ２２は、複合おむつ構造を形成するために加えられる他の要素を有するおむつの主要構造を備える。トップシート２４、バックシート２６および吸収性コア２６はさまざまの周知の形状で組み合わせられ得るけれども、好ましいおむつ形状は一般的に、１９７５年１月１４日にケネス・Ｂ．ビュエル（Ｋｅｎｎｅｔｈ  Ｂ．Ｂｕｅｌｌ）に発行された「使い捨ておむつのための収縮性側面部分（Ｃｏｎｔｒａｃｔｉｂｌｅ  Ｓｉｄｅ  Ｐｏｒｔｉｏｎｓ  ｆｏｒ  Ｄｉｓｐｏｓａｂｌｅ  Ｄｉａｐｅｒ）」と言う表題の米国特許第３，８６０，００３号、１９９２年９月９日にビュエルに発行された米国特許第５，１５１，０９２号、および１９９３年６月２２日にビュエルに発行された米国特許第５，２２１，２７４号、１９９６年９月１０日にロー（Ｒｏｅ）らに発行された「多数の帯域の構造的に弾性状のフィルムウエブの伸長性腰部要素を有する吸収製品（Ａｂｓｏｒｂｅｎｔ  Ａｒｔｉｃｌｅ  Ｗｉｔｈ  Ｍｕｌｔｉｐｌｅ  Ｚｏｎｅ  Ｓｔｒｕｃｔｕｒａｌ  Ｅｌａｓｔｉｃ−Ｌｉｋｅ  Ｆｉｌｍ  Ｗｅｂ  Ｅｘｔｅｎｓｉｂｌｅ  Ｗａｉｓｔ  Ｆｅａｔｕｒｅ）」と言う表題の米国特許第５，５５４，１４５号、１９９６年１０月２９日にビュエルらに発行された「使い捨てプルオンパンツ（Ｄｉｓｐｏｓａｂｌｅ  Ｐｕｌｌ−Ｏｎ  Ｐａｎｔ）」と言う表題の米国特許第５，５６９，２３４号、１９９６年１２月３日にニーズ（Ｎｅａｓｅ）らに発行された「吸収製品のためのサイドパネルを製造するためのスクラップのでない方法（Ｚｅｒｏ  Ｓｃｒａｐ  Ｍｅｔｈｏｄ  Ｆｏｒ  Ｍａｎｕｆａｃｔｕｒｉｎｇ  Ｓｉｄｅ  Ｐａｎｅｌｓ  Ｆｏｒ  Ａｂｓｏｒｂｅｎｔ  Ａｒｔｉｃｌｅｓ）」と言う表題の米国特許第５，５８０，４１１号、およびローブルズ（Ｒｏｂｌｅｓ）らの名義で１９９７年８月２０日に出願された「多数の方向性のある伸長性サイドパネルを有する吸収製品（Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ）」と言う表題の米国特許出願シリアル番号第０８／９１５，４７１号において記載され、それらのそれぞれは参照により本明細書に組み込まれる。
【０００９】
バックシート２６は一般的に、その中に吸収され含有された滲出物がベッドシーツおよび下着のようなおむつ２０に接触し得る製品を汚すことを防止する吸収性コア２８の着衣に面する表面４５に隣接して位置するおむつ２０の部分である。好ましい態様において、バックシート２６は、液体（例えば、尿）に対して不透過性であり、約０．０１２ｍｍ（０．５ミル）から約０．０５１ｍｍ（２．０ミル）の厚さを有する熱可塑性フィルムのような薄いプラスチックフィルムを具備する。適切なバックシートフィルムには、インディアナ州テールホート（Ｔｅｒｒｅ  Ｈａｕｔｅ）のトレデガー・インダストリーズ（Ｔｒｅｄｅｇａｒ  Ｉｎｄｕｓｔｒｉｅｓ）Ｉｎｃ．により製造され、商品名Ｘ１５３０６、Ｘ１０９６２およびＸ１０９６４の下で販売されるものが含まれる。他の適切なバックシート材料には、滲出物がバックシート２６を通過することを防止しながら蒸気がおむつ２０から逃げ出ることを許容する呼吸性材料が含まれ得る。典型的な呼吸性材料には、製織ウエブ、不織ウエブ、フィルムでコートされた不織ウエブのような複合材料、名称ＥＳＰＯＩＲ  ＮＯの下で日本の三井東圧により、および名称ＥＸＸＡＩＲＥの下でテキサス州ベイシティのＥＸＸＯＮケミカルＣｏ．により製造されるような微小多孔性フィルムのような材料が含まれ得る。ポリマーブレンドを含む適切な呼吸性複合材料は、名称ＨＹＴＲＥＬブレンドＰ１８−３０９７の下でオハイオ州シンシナチのクロペイ・コーポレーション（Ｃｌｏｐａｙ  Ｃｏｒｐｏｒａｔｉｏｎ）から入手可能である。その様な呼吸性複合材料は、Ｅ．Ｉ．デュポンの名義で１９９５年６月２２日に公開されたＰＣＴ出願ＷＯ９５／１６７４６およびキュロ（Ｃｕｒｒｏ）の名義で１９９６年１１月６日に出願された共に係属する米国特許出願シリアル番号第０８／７４４，４８７号において極めて詳細に記載されている。不織ウエブおよび開孔形成されたフィルムを含む他の呼吸性バックシートは、１９９６年１１月５日にドブリン（Ｄｏｂｒｉｎ）らに発行された米国特許第５，５７１，０９６号において記載されている。それらの参照文献のそれぞれはここでは参照により本明細書に組み込まれる。
【００１０】
バックシート２６またはそのいずれかの部分は、１以上の方向に弾性的に伸長性であり得る。１つの態様において、バックシート２６は、構造的に弾性状のフィルム（「ＳＥＬＦ」）ウエブを含み得る。構造的に弾性状のフィルムウエブは、添加される弾性材料の使用なしに伸長の方向に弾性状挙動を示す伸長性材料である。ＳＥＬＦウエブは、少なくとも２つの近接して隔てられている類似しない領域を有する緊張可能な網状構造を含む。好ましくは、領域の面積は、他の領域の実質部分が、加えられる伸長に対する有意な抵抗力を展開する前にあらかじめ決定された軸に対して平行な方向の与えられた軸方向伸長に応答する抵抗力を示すように決定される。少なくとも１つの領域は、材料が張力を掛けられていない状態にある間にあらかじめ決定された軸に対して実質的に平行な計測された他の領域の表面経路長より大きい表面経路長を有する。より長い表面経路長を示す領域は、他の領域の平面を超えて伸びる単数または複数の変形を含む。ＳＥＬＦウエブは、あらかじめ決定された軸に対して平行な方向に与えられた伸長に供されるとき少なくとも１つのあらかじめ決定された軸に沿った伸長に対する制御された抵抗力のすくなくとも２つの有意に異なる段階を示す。ＳＥＬＦウエブは、ウエブの伸長がより長い表面経路長を有する領域の実質部分が与えられた伸長の平面に入ることを引き起こすのに十分になるまで与えられた伸長に対する第１の抵抗力を示し、次いで、ＳＥＬＦウエブは、更なる伸張に対する第２の抵抗力を示す。伸長に対する総抵抗力は、第１の領域により与えられる伸張に対する第１の抵抗力より大きい。本発明にとって適切なＳＥＬＦウエブは、参照により本明細書に組み込まれる１９９６年５月２１日にチャペル（Ｃｈａｐｐｅｌｌ）らに発行された弾性状挙動を示すウエブ材料（Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ）と言う表題の米国特許第５，５１８，８０１号においてより完全に記載されている。別態様において、バックシート２６は、エラストマーフィルム、発泡体、ストランド、またはそれらの組み合わせまたは不織布もしくは合成フィルムを有する他の適切な材料を含み得る。
【００１１】
バックシート２６は、当該技術において公知のいずれかの付着手段によりトップシート２４、吸収性コア２８またはおむつ２０のいずれか他の要素に結合し得る。例えば、付着手段は、接着剤の均一連続層、接着剤のパターン化された層、接着剤の分離した線、螺旋、または点の配列を含み得る。１つの好ましい付着手段には、１９８６年３月４日にミネトラ（Ｍｉｎｅｔｏｌａ）らに発行された「使い捨て汚物封入着衣（Ｄｉｓｐｏｓａｂｌｅ  Ｗａｓｔｅ−Ｃｏｎｔａｉｎｍｅｎｔ  Ｇａｒｍｅｎｔ）」と言う表題の米国特許第４，５７３，９８６号において開示された接着剤のフィラメントの開放パターンネットワークが含まれる。他の適切な付着手段には、１９７５年１０月７日にスプラーグ・ジュニア（Ｓｐｒａｇｕｅ，Ｊｒ．）に発行された米国特許第３，９１１，１７３号、１９７８年１１月２２日にザイエッカー（Ｚｉｅｃｋｅｒ）らに発行された米国特許第４，７８５，９９６号、および１９８９年６月２７日にウェレニッツ（Ｗｅｒｅｎｉｃｚ）に発行された米国特許第４，８４２，６６６号において示される装置および方法により例示されるような螺旋パターンに旋回される幾つかの線の接着剤フィラメントが含まれる。それらの特許のそれぞれは、参照により本明細書に組み込まれる。満足であることが見出された接着剤は、ミネソタ州セントポールのＨ．Ｂ．フラー（Ｆｕｌｌｅｒ）カンパニーにより製造され、「ＨＬ−１６２０」および「ＨＬ−１３５８−ＸＺＰ」として販売されている。代わりに、付着手段は、熱結合、圧力結合、超音波結合、動的機械的結合、またはいずれか他の適切な付着手段または当該技術において公知であるそれらの付着手段の組み合わせを含み得る。
【００１２】
トップシート２４は好ましくは、吸収性コア２８の身体表面４７に隣接して位置し、当該技術において公知のいずれかの付着手段によりそれにおよび／またはバックシート２６に結合し得る。適切な付着手段は、おむつ２０の他の要素にバックシート２６を結合させるための手段に関して上記されている。本発明の１つの好ましい態様において、トップシート２４およびバックシート２６は幾つかの位置で互いに直接結合し、おむつ２０の他の要素にそれらを直接結合させることにより他の配置で互いに間接的に結合する。
【００１３】
トップシート２４は好ましくは柔順であり、柔軟な感触があり、着用者の皮膚に刺激がない。更に、トップシート２４のすくなくとも一部は、液体透過性であり、液体がその厚さを容易に貫通することを可能とする。適切なトップシート２４は、多孔性発泡体、網状発泡体、開孔されたプラスチックフィルム、または天然繊維（例えば、木材または綿繊維）、合成繊維（例えば、ポリエステルまたはポリプロピレン繊維）、または天然および合成繊維の組み合わせの製織または不織ウエブのような広範な材料から製造され得る。もし吸収性アセンブリが繊維を含むならば、繊維は、紡糸結合され、梳綿され、湿式載置され、溶融ブローされ、水力交絡され、またはさもなければ当該技術において公知である様に加工処理され得る。ステープル長のポリプロピレン繊維のウエブを含む１つの適切なトップシート２４は、名称「Ｐ−８」の下でマサチューセッツ州ウォルポールのインターナショナル・ペーパー・カンパニーの１部門のベラテック（Ｖｅｒａｔｅｃ），Ｉｎｃ．により製造される。
【００１４】
適切な形成されたフィルムトップシートは、１９７５年１２月３０日にトンプソン（Ｔｈｏｍｐｓｏｎ）に発行された「先細の毛管を有する吸収性構造（Ａｂｓｏｒｐｔｉｖｅ  Ｓｔｒｕｃｔｕｒｅｓ  Ｈａｖｉｎｇ  Ｔａｐｅｒｅｄ  Ｃａｐｉｌｌａｒｉｅｓ）」と言う表題の米国特許第３，９２９，１３５号、１９８２年４月１３日にミュレーン（Ｍｕｌｌａｎｅ）らに発行された「汚れ抵抗性トップシートを有する使い捨て吸収製品（Ｄｉｓｐｏｓａｂｌｅ  Ａｂｓｏｒｂｅｎｔ  Ａｒｔｉｃｌｅ  Ｈａｖｉｎｇ  Ａ  Ｓｔａｉｎ  Ｒｅｓｉｓｔａｎｔ  Ｔｏｐｓｈｅｅｔ）」と言う表題の米国特許第４，３２４，２４６号、１９８２年８月３日にレーデル（Ｒａｄｅｌ）らに発行された「繊維状特性を示す弾力性プラスチックウエブ（Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ）」と言う表題の米国特許第４，３４２，３１４号、１９８４年７月３１日にアー（Ａｈｒ）らに発行された「光沢のない可視的表面および布のような触感を示す巨視的に膨張した３次元プラスチックウエブ（Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ  Ｓｕｒｆａｃｅ  ａｎｄ  Ｃｌｏｔｈ−Ｌｉｋｅ  Ｔａｃｔｉｌｅ  Ｉｍｐｒｅｓｓｉｏｎ）」と言う表題の米国特許第４，４６３，０４５号、および１９９１年４月９日にベアード（Ｂａｉｒｄ）に発行された「多層ポリマーフィルム（Ｍｕｌｔｉｌａｙｅｒ  Ｐｏｌｙｍｅｒｉｃ  Ｆｉｌｍ）」と言う表題の米国特許第５，００６，３９４号において記載されている。他の適切なトップシート２４は、１９８６年９月２日および１９８６年１２月１６日のそれぞれにキュロ（Ｃｕｒｒｏ）らに発行された米国特許第４，６０９，５１８号および第４，６２９，６４３号にしたがって作られ、それらの両方は参照により本明細書に組み込まれる。その様な形成されたフィルムは、「ドライウィーブ（ＤＲＩ−ＷＥＡＶＥ）」としてオハイオ州シンシナチのザ・プロクター＆ギャンブル・カンパニーおよび「ＣＬＩＦＦ−Ｔ」としてインディアナ州テールホートのトレデガー・コーポレーションから入手可能である。
【００１５】
好ましくは、トップシート２４は、疎水性材料で作られるか、または、着用者の皮膚を吸収性コア２８において含まれる液体から隔離するために疎水性に処理される。もしトップシート２４が疎水性材料で作られるならば、好ましくはトップシート２４の少なくとも上方表面は液体がトップシートをより急速に移動通過するように親水性に処理される。このことは、身体滲出物がトップシート２４を通って引き込まれ、吸収性コア２８により吸収されるよりもむしろトップシート２４を流れあふれるようなことを少なくする。トップシート２４は、界面活性剤で処理することによるかまたは界面活性剤をトップシートに含ませることにより親水性にされ得る。界面活性剤でトップシート２４を処理するための適切な方法には、界面活性剤でトップシート２４材料をスプレーすることおよび界面活性剤に材料を浸すことが含まれる。その様な処理および親水性のより詳細な検討は、１９９１年１月２９日にレイジング（Ｒｅｉｓｉｎｇ）らに発行された「多層吸収性層を有する吸収製品（Ａｂｓｏｒｂｅｎｔ  Ａｒｔｉｃｌｅｓ  ｗｉｔｈ  Ｍｕｌｔｉｐｌｅ  Ｌａｙｅｒ  Ａｂｓｏｒｂｅｎｔ  Ｌａｙｅｒｓ）」と言う表題の米国特許第４，９８８，３４４号および１９９１年１月２９日にレイジングに発行された「高速獲得吸収性コアを有する吸収製品（Ａｂｓｏｒｂｅｎｔ  Ａｒｔｉｃｌｅｓ  ｗｉｔｈ  Ｒａｐｉｄ  Ａｃｑｕｉｒｉｎｇ  Ａｂｓｏｒｂｅｎｔ  Ｃｏｒｅｓ）」と言う表題の米国特許第４，９８８，３４５号において含まれている。界面活性剤をトップシートに組み込むための幾つかの適切な方法のより詳細な検討は、アジズ（Ａｚｉｚ）らの名義で１９９７年７月１日に公開された米国法定発明登録番号Ｈ１６７０において見出され得る。それらの参照文献のそれぞれは、ここでは本明細書中に参照により組み込まれる。代わりに、トップシート２４は、疎水性である開孔ウエブまたはフィルムを含み得る。このことは、製造プロセスから親水化処理工程を除去するか、および／またはトップシート２４に「ＳＣＯＴＣＨＧＵＡＲＤ」のようなポリテトラフルオロエチレン化合物または下記の疎水性ローション組成物のような疎水化処理を適用することにより達成され得る。その様な態様においては、開孔は、有意な抵抗なしに尿のような水性流体の貫通を可能とするのに十分に大きいことが好ましい。
【００１６】
トップシート２４のいずれの部分も当該技術において公知であるローションでコートされ得る。適切なローションの例には、１９９７年３月４日にローに発行された「エモリエント剤およびポリオールポリエステル固定化剤を含むローションを付されたトップシートを有する使い捨て吸収製品（Ｄｉｓｐｏｓａｂｌｅ  Ａｂｓｏｒｂｅｎｔ  Ａｒｔｉｃｌｅ  Ｈａｖｉｎｇ  Ａ  Ｌｏｔｉｏｎｅｄ  Ｔｏｐｓｈｅｅｔ  Ｃｏｎｔａｉｎｉｎｇ  ａｎ  Ｅｍｏｌｌｉｅｎｔ  ａｎｄ  ａ  Ｐｏｌｙｏｌ  Ｐｏｌｙｅｓｔｅｒ  Ｉｍｍｏｂｉｌｉｚｉｎｇ  Ａｇｅｎｔ）」と言う表題の米国特許第５，６０７，７６０号、１９９７年３月１１日にローに発行された「液体ポリオールポリエステルエモリエント剤および固定化剤を含むローションを付されたトップシートを有するおむつ（Ｄｉａｐｅｒ  Ｈａｖｉｎｇ  Ａ  Ｌｏｔｉｏｎｅｄ  Ｔｏｐｓｈｅｅｔ  Ｃｏｍｐｒｉｓｉｎｇ  Ａ  Ｌｉｑｕｉｄ  Ｐｏｌｙｏｌ  Ｐｏｌｙｅｓｔｅｒ  Ｅｍｏｌｌｉｅｎｔ  Ａｎｄ  Ａｎ  Ｉｍｍｏｂｉｌｉｚｉｎｇ  Ａｇｅｎｔ）」と言う表題の米国特許第５，６０９，５８７号、１９９７年６月３日にローらに発行された「ポリシロキサンエモリエント剤を含むローションを付されたトップシートを有するおむつ（Ｄｉａｐｅｒ  Ｈａｖｉｎｇ  Ａ  Ｌｏｔｉｏｎｅｄ  Ｔｏｐｓｈｅｅｔ  Ｃｏｎｔａｉｎｉｎｇ  Ａ  Ｐｏｌｙｓｉｌｏｘａｎｅ  Ｅｍｏｌｌｉｅｎｔ）」と言う表題の米国特許第５，６３５，１９１号、および１９９７年７月１日にローらに発行された「ローションを付されたトップシートを有するおむつ（Ｄｉａｐｅｒ  Ｈａｖｉｎｇ  Ａ  Ｌｏｔｉｏｎｅｄ  Ｔｏｐｓｈｅｅｔ）」と言う表題の米国特許第５，６４３，５８８号において記載されるものが含まれる。ローションは、単独で、または上記疎水化処理のための別の薬剤と組み合わせで機能し得る。トップシート２４はまた、抗菌剤をも含み得るかまたは抗菌剤で処理され得るものであり、その幾つかの例は、テレサ・ジョンソン（Ｔｈｅｒｅｓａ  Ｊｏｈｎｓｏｎ）の名義で１９９５年９月１４日に公開された「臭気防除のためにトップシートに抗菌剤を含む吸収製品（Ａｂｓｏｒｂｅｎｔ  Ａｒｔｉｃｌｅｓ  Ｃｏｎｔａｉｎｉｎｇ  Ａｎｔｉｂａｃｔｅｒｉａｌ  Ａｇｅｎｔｓ  ｉｎ  ｔｈｅ  Ｔｏｐｓｈｅｅｔ  Ｆｏｒ  Ｏｄｅｒ  Ｃｏｎｔｒｏｌ）」と言う表題のＰＣＴ公開ＷＯ９５／２４１７３において開示されている。さらに、トップシート２４、バックシート２６またはトップシート２４またはバックシート２６のいずれかの部分は、より布状の外観を与えるためにエンボス加工および／またはつや消し仕上げされ得る。
【００１７】
吸収性コア２８は、一般的に、圧縮性であり、柔順であり、着用者の皮膚に刺激がなく、尿および他のある種の身体滲出物のような液体を吸収し、保持することが可能であるいずれかの吸収性材料を含み得る。吸収性コア２８は、広範な大きさおよび形状（例えば、長方形、砂時計形、「Ｔ」字形、非対称形など）で製造され得るものであり、一般的にエアフェルトと称される細砕された木材パルプのような使い捨ておむつおよび他の吸収製品において通常用いられる広範な液体吸収性材料を含み得る。他の適切な吸収性材料の例には、しわのあるセルロースの詰め物、コフォームを含む溶融ブローポリマー、化学的に硬化され、修飾されているかまたは架橋されたセルロース性繊維、ティッシュラップおよびティッシュラミネートを含むティッシュ、吸収性発泡体、吸収性スポンジ、超吸収性ポリマー、吸収性ゲル化材料、またはいずれか他の公知の吸収性材料または材料の組み合わせが含まれる。
【００１８】
吸収性コア２８の形状および構造もまた異なり得る（例えば、吸収性コアまたは他の吸収構造は、異なる厚み帯域、親水性勾配、超吸収性勾配、またはより小さな平均密度およびより小さな平均坪量獲得帯域を有し得るし、または、単数または複数の層または構造を具備し得る）。しかしながら、吸収性コア２８の全吸収能力は、設計負荷およびおむつ２０の意図される用途に合致すべきである。
【００１９】
吸収性コアとしての使用のための典型的な吸収構造は、１９８６年９月９日にワイズマン（Ｗｅｉｓｍａｎ）らに発行された「高密度吸収構造（Ｈｉｇｈ−Ｄｅｎｓｉｔｙ  Ａｂｓｏｒｂｅｎｔ  Ｓｔｒｕｃｔｕｒｅｓ）」と言う表題の米国特許第４，６１０，６７８号、１９８７年６月１６日にワイズマンらに発行された「２重層コアを有する吸収製品（Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ）」と言う表題の米国特許第４，６７３，４０２号、１９８９年５月３０日にアレマニー（Ａｌｅｍａｎｙ）らに発行された「低密度および低坪量獲得帯域を有する高密度吸収性部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」と言う表題の米国特許第４，８３４，７３５号、１９８９年１２月１９日にアングスタッド（Ａｎｇｓｔａｄｔ）に発行された「ダスチング層を有する吸収性コア（Ａｂｓｏｒｂｅｎｔ  Ｃｏｒｅ  Ｈａｖｉｎｇ  Ａ  Ｄｕｓｔｉｎｇ  Ｌａｙｅｒ）」と言う表題の米国特許第４，８８８，２３１号、１９９２年８月１１日にヘロン（Ｈｅｒｒｏｎ）らに発行された「個別化されたポリカルボン酸架橋された木材パルプセルロース繊維を含む吸収構造（Ａｂｓｏｒｂｅｎｔ  Ｓｔｒｕｃｔｕｒｅ  Ｃｏｎｔａｉｎｉｎｇ  Ｉｎｄｉｖｉｄｕａｌｉｚｅｄ，Ｐｏｌｙｃａｒｂｏｘｙｌｉｃ  Ａｃｉｄ  Ｃｒｏｓｓｌｉｎｋｅｄ  Ｗｏｏｄ  Ｐｕｌｐ  Ｃｅｌｌｕｌｏｓｅ  Ｆｉｂｅｒｓ）」と言う表題の米国特許第５，１３７，５３７号、１９９２年９月１５日にヤングらに発行された「失禁管理のための高性能吸収製品（Ｈｉｇｈ  Ｅｆｆｉｃｉｅｎｃｙ  Ａｂｓｏｒｂｅｎｔ  Ａｒｔｉｃｌｅｓ  Ｆｏｒ  Ｉｎｃｏｎｔｉｎｅｎｃｅ  Ｍａｎａｇｅｍｅｎｔ）」と言う表題の米国特許５，１４７，３４５号、１９９４年８月３０日にローに発行された「粘度の小さい糞便のための使い捨て吸収製品（Ｄｉｓｐｏｓａｂｌｅ  Ａｂｓｏｒｂｅｎｔ  Ａｒｔｉｃｌｅ  Ｆｏｒ  Ｌｏｗ−Ｖｉｓｃｏｓｉｔｙ  Ｆｅｃａｌ  Ｍａｔｅｒｉａｌ）」と言う表題の米国特許第５，３４２，３３８号、１９９３年１１月９日にデズマレーズ（ＤｅｓＭａｒａｉｓ）らに発行された「水性体液のための吸収性発泡体材料およびその様な材料を含む吸収製品（Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  ａｎｄ  Ａｂｓｏｒｂｅｎｔ  Ａｒｔｉｃｌｅｓ  Ｃｏｎｔａｉｎｉｎｇ  Ｓｕｃｈ  Ｍａｔｅｒｉａｌｓ）」と言う表題の米国特許第５，２６０，３４５号、１９９５年２月７日にダイヤー（Ｄｙｅｒ）らに発行された「水性体液のための濡れるまで薄い吸収性発泡体材料およびそれを作る方法（Ｔｈｉｎ−Ｕｎｔｉｌ−Ｗｅｔ  Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  Ａｎｄ  Ｐｒｏｃｅｓｓ  Ｆｏｒ  Ｍａｋｉｎｇ  Ｓａｍｅ）」と言う表題の米国特許第５，３８７，２０７号、および１９９７年７月２２日にデズマレーズらに発行された「極めて大きい水対油の比を有する高内相エマルジョンから作られた水性流��のための吸収性発泡体材料（Ａｂｓｏｒｂｅｎｔ  Ｆｏａｍ  Ｍａｔｅｒｉａｌｓ  Ｆｏｒ  Ａｑｕｅｏｕｓ  Ｆｌｕｉｄｓ  Ｍａｄｅ  Ｆｒｏｍ  ｈｉｇｈ  Ｉｎｔｅｒｎａｌ  Ｐｈａｓｅ  Ｅｍｕｌｓｉｏｎｓ  Ｈａｖｉｎｇ  Ｖｅｒｙ  Ｈｉｇｈ  Ｗａｔｅｒ−Ｔｏ−Ｏｉｌ  Ｒａｔｉｏｓ）」と言う表題の米国特許第５，６２５，２２２号において記載されている。それらの特許のそれぞれは、参照により本明細書に組み込まれる。
【００２０】
おむつ２０はまた、改善された適合感および封入を提供することを補助する少なくとも１つの弾性腰部要素３４をも含み得る。弾性腰部要素３４は、一般的に、着用者の腰部に動的に適合するように弾性的に伸長し、収縮することが意図される。弾性腰部要素３４は、好ましくは、吸収性コア２８のすくなくとも１つのウエストエッジ６２から少なくとも縦に外側に伸び、一般的に、おむつ２０のエンドエッジ５２のすくなくとも一部を形成する。使い捨ておむつはしばしば２つの弾性腰部要素を有するように構成され、１つは第１腰部領域３６に位置し、１つは第２腰部領域３８に位置する。更に、弾性腰部要素３４またはその構成要素のいずれかはおむつ２０に固着された単数または複数の分離要素を含み得るが、弾性腰部要素３４は、バックシート２６、トップシート２４、またはバックシート２６とトップシート２４の両方のようなおむつ２０の他の要素の延長部として構築され得る。
【００２１】
弾性腰部要素３４は、１９８５年５月７日にキエビット（Ｋｉｅｖｉｔ）らに発行された米国特許第４，５１５，５９５号、１９８７年１２月１日にラッシュ（Ｌａｓｈ）に発行された米国特許第４，７１０，１８９号、１９９２年９月９日にビュエルに発行された米国特許第５，１５１，０９２号、および１９９３年６月２２日にビュエルに発行された米国特許第５，２２１，２７４号において記載されているものを含む多数の異なる形状で構築され得る。他の適切な腰部形状には、１９９１年６月２５日にロバートソン（Ｒｏｂｅｒｔｓｏｎ）に発行された米国特許第５，０２６，３６４号および１９８９年３月２８日にフォアマン（Ｆｏｒｅｍａｎ）に発行された米国特許第４，８１６，０２５号において記載されるもののようなウエストキャップ要素が含まれ得る。上記参照文献の全ては参照により本明細書に組み込まれる。
【００２２】
おむつ２０はまたファスナーシステム４０も含み得る。ファスナーシステム４０は、好ましくは、着用者に対しておむつ２０を保持する様に、おむつ２０の周囲に横張力を提供するように重なる形状で第１腰部領域３６と第２腰部領域３８を維持する。ファスナーシステム４０は、好ましくは、テープタブおよび／またはフックとループのファスナー部材を含む。しかしながら、いずれか他の公知のファスナー手段も一般的に許容可能である。幾つかの典型的なファスナーシステムは、１９７４年１１月１９日にビュエルに発行された「使い捨ておむつのためのテープファスナーシステム（Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ）」と言う表題の米国特許第３，８４８，５９４号、１９８７年５月５日にヒロツらに発行された「吸収製品」と言う表題の米国特許第Ｂ１  ４，６６２，８７５号、１９８９年７月１１日にスクリップス（Ｓｃｒｉｐｐｓ）に発行された「改善されたファスナーデバイスを有する使い捨ておむつ（Ｄｉｓｐｏｓａｂｌｅ  Ｄｉａｐｅｒ  Ｈａｖｉｎｇ  Ａｎ  Ｉｍｐｒｏｖｅｄ  Ｆａｓｔｅｎｉｎｇ  Ｄｅｖｉｃｅ）」と言う表題の米国特許第４，８４６，８１５号、１９９０年１月１６日にネステガード（Ｎｅｓｔｅｇａｒｄ）に発行された「改善されたフックファスナー部分を有する使い捨ておむつ（Ｄｉｓｐｏｓａｂｌｅ  Ｄｉａｐｅｒ  Ｗｉｔｈ  Ｉｍｐｒｏｖｅｄ  Ｈｏｏｋ  Ｆａｓｔｅｎｅｒ  Ｐｏｒｔｉｏｎ）」と言う表題の米国特許第４，８９４，０６０号、１９９０年８月７日にバットレル（Ｂａｔｔｒｅｌｌ）に発行された「感圧接着剤ファスナーおよびそれを作る方法（Ｐｒｅｓｓｕｒｅ−Ｓｅｎｓｉｔｉｖｅ  Ａｄｈｅｓｉｖｅ  Ｆａｓｔｅｎｅｒ  Ａｎｄ  Ｍｅｔｈｏｄ  ｏｆ  Ｍａｋｉｎｇ  Ｓａｍｅ）」と言う表題の米国特許第４，９４６，５２７号、および本明細書ですでに参照された１９９２年９月９日にビュエルに発行された米国特許第５，１５１，０９２号、および１９９３年６月２２日にビュエルに発行された米国特許第５，２２１，２７４号において開示されている。ファスナーシステムはまた、１９９０年１０月１６日にロバートソンらに発行された米国特許第４，９６３，１４０号において開示されている使い捨て形状で製品を保持するための手段も提供し得る。それらの特許のそれぞれは参照により本明細書に組み込まれる。別態様において、着衣の反対側は、パンツを形成するように縫合または溶接され得る。このことは、製品がトレーニングパンツのようなプルオンタイプのおむつとして用いられることを可能とする。
【００２３】
おむつ２０はまたサイドパネル３０をも含み得る。おむつ２０が滲出物で負荷されたとき、着用者に対しておむつ２０を最初に快適に適合させ、長く経過した着用の時間全体にわたってこの適合を維持することにより、より快適で合致性のある適合を提供するためにサイドパネル３０は弾力性または伸長性であり得る。と言うのは、弾性のあるサイドパネル３０はおむつ２０の側面が伸長し、収縮することを可能とするからである。サイドパネル３０はまたおむつ２０のより有効な適用も提供し得る。と言うのは、おむつ着用者が着用の間に他の部分よりも遠くに弾性のあるサイドパネル３０を引張る場合でさえ、おむつ２０は着用の間に「自己調節（ｓｅｌｆ−ａｄｊｕｓｔ）」するであろうからである。
【００２４】
本発明のおむつ２０は好ましくは第２腰部領域３８に配置されるサイドパネル３０を有するけれども、おむつ２０は、第１腰部領域３６または第１腰部領域３６と第２腰部領域３８の両方に配置されるサイドパネル３０を備え得る。サイドパネル３０は、いずれか適切な形状で構築され得る。弾性を有するサイドパネルを有するおむつの例は、１９８９年８月１５日にウッドらに発行された「シャーリングされた耳を有する使い捨ておむつ（Ｄｉｓｐｏｓａｂｌｅ  Ｄｉａｐｅｒ  Ｈａｖｉｎｇ  Ｓｈｉｒｒｅｄ  Ｅａｒｓ）」と言う表題の米国特許第４，８５７，０６７号、１９８３年５月３日にサイアラファ（Ｓｃｉａｒａｆｆａ）らに発行された米国特許第４，３８１，７８１号、１９９０年７月３日にバン・ゴンペル（Ｖａｎ  Ｇｏｍｐｅｌ）らに発行された米国特許第４，９３８，７５３号、１９９２年９月９日にビュエルに発行された本明細書ですでに参照された米国特許第５，１５１，０９２号、および１９９３年６月２２日にビュエルに発行された米国特許第５，２２１，２７４号、「持続する動的適合を提供する吸収製品（Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ）」と言う表題の１９９７年９月２３日にラボン（Ｌａ  Ｖｏｎ）らに発行された米国特許第５，６６９，８９７号、ローブルズ（Ｒｏｂｌｅｓ）らの名義で１９９３年１１月１９日に出願された「多方向伸長性サイドパネルを有する吸収製品（Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ）」と言う表題の米国特許出願シリアル番号第０８／１５５，０４８号において開示され、それらのそれぞれは参照により本明細書に組み込まれる。
【００２５】
おむつ２０は好ましくは更に、液体および他の身体滲出物のより優れた封入を提供する脚部カフス３２を含む。脚部カフスはまた、レッグバンド、サイドフラップ、バリアカフス、または弾性カフスとも称され得る。米国特許第３，８６０，００３号は、弾性を有する脚部カフス（ガスケットカフス）を提供するためにサイドフラップおよび単数または複数の弾性部材を有する収縮性の脚部開口を提供する使い捨ておむつを記載する。１９８９年２月２８日および１９９０年３月２０日のそれぞれにアジズらに発行された米国特許第４，８０８，１７８号および第４，９０９，８０３号は、脚部領域の封入を改善させる「起立」弾性フラップ（バリアカフス）を有する使い捨ておむつを記載する。１９８７年９月２２日にローソン（Ｌａｗｓｏｎ）に、１９８９年１月３日にドラグー（Ｄｒａｇｏｏ）にそれぞれ発行された米国特許第４，６９５，２７８号および第４，７９５，４５４号は、ガスケットカフスとバリアカフスを含む二重カフスを有する使い捨ておむつを記載する。幾つかの態様においては、上記の様に、脚部カフスの全てまたは一部をローションで処理することが望ましいであろう。
【００２６】
本発明の態様はまた、汚物を受容し封入するためのポケット、汚物のためのボイドを提供するスペーサー、製品の中での汚物の動きを制限するためのバリア、おむつの中に溜まる汚物を受容し封入する区画またはボイド等またはそれらのいずれかの組み合わせをも含み得る。吸収製品における使用のためのポケットおよびスペーサーの例は、「駆逐性スペーサーを有するおむつ（Ｄｉａｐｅｒ  Ｈａｖｉｎｇ  Ｅｘｐｕｌｓｉｖｅ  Ｓｐａｃｅｒ）」と言う表題の１９９６年５月７日にローらに発行された米国特許第５，５１４，１２１号、「コアスペーサーを有する使い捨て吸収製品（Ｄｉｓｐｏｓａｂｌｅ  Ａｂｓｏｒｂｅｎｔ  Ａｒｔｉｃｌｅ  Ｈａｖｉｎｇ  Ｃｏｒｅ  Ｓｐａｃｅｒｓ）」と言う表題の１９９２年１２月１５日にドライヤー（Ｄｒｅｉｅｒ）らに発行された米国特許第５，１７１，２３６号、「ポケットカフスを有する吸収製品（Ａｂｓｏｒｂｅｎｔ  Ａｒｔｉｃｌｅ  Ｈａｖｉｎｇ  Ａ  Ｐｏｃｋｅｔ  Ｃｕｆｆ）」と言う表題の１９９５年３月１４日にドライヤーに発行された米国特許第５，３９７，３１８号、「頂点を有するポケットカフスを有する吸収製品（Ａｂｓｏｒｂｅｎｔ  Ａｒｔｉｃｌｅ  Ｈａｖｉｎｇ  Ａ  Ｐｏｃｋｅｔ  Ｃｕｆｆ  Ｗｉｔｈ  Ａｎ  Ａｐｅｘ）」と言う表題の１９９６年７月３０日にドライヤーに発行された米国特許第５，５４０，６７１号、「衛生吸収製品における使用のためのスペーサーおよびそのようなスペーサーを有する使い捨て吸収製品（Ｓｐａｃｅｒｓ  Ｆｏｒ  Ｕｓｅ  Ｉｎ  Ｈｙｇｉｅｎｉｃ  Ａｂｓｏｒｂｅｎｔ  Ａｒｔｉｃｌｅｓ  Ａｎｄ  Ｄｉｓｐｏｓａｂｌｅ  Ａｂｓｏｒｂｅｎｔ  Ａｒｔｉｃｌｅｓ  Ｈａｖｉｎｇ  Ｓｕｃｈ  Ｓｐａｃｅｒ）」と言う表題の１９９３年１２月３日に公開されたＰＣＴ出願ＷＯ９３／２５１７２、および１９９４年４月２６日にフリーランド（Ｆｒｅｅｌａｎｄ）に発行された「使い捨て吸収製品における使用のための可撓性スペーサー（Ｆｌｅｘｉｂｌｅ  Ｓｐａｃｅｒｓ  Ｆｏｒ  Ｕｓｅ  Ｉｎ  Ｄｉｓｐｏｓａｂｌｅ  Ａｂｓｏｒｂｅｎｔ  Ａｒｔｉｃｌｅｓ）」と言う表題の米国特許第５，３０６，２６６号において記載されている。区画またはボイドの例は、１９９０年１１月６日にカーン（Ｋｈａｎ）に発行された「使い捨て大便区分おむつ（Ｄｉｓｐｏｓａｂｌｅ  Ｆｅｃａｌ  Ｃｏｍｐａｒｔｍｅｎｔｉｎｇ  Ｄｉａｐｅｒ）」と言う表題の米国特許第４，９６８，３１２号、１９９１年２月５日にフリーランドに発行された「汚物隔離のための弾性ライナーを有する吸収製品（Ａｂｓｏｒｂｅｎｔ  Ａｒｔｉｃｌｅ  Ｗｉｔｈ  Ｅｌａｓｔｉｃ  Ｌｉｎｅｒ  Ｆｏｒ  Ｗａｓｔｅ  Ｍａｔｅｒｉａｌ  Ｉｓｏｌａｔｉｏｎ）」と言う表題の米国特許第４，９９０，１４７号、１９９１年１１月５日にホルト（Ｈｏｌｔ）らに発行された「使い捨ておむつ」と言う表題の米国特許第５,６２，８４０号、および１９９３年１２月１４日にフリーランドらに発行された「使い捨て吸収製品のための３区分トップシートおよびその様な３区分トップシートを有する使い捨て吸収製品（Ｔｒｉｓｅｃｔｉｏｎ  Ｔｏｐｓｈｅｅｔｓ  Ｆｏｒ  Ｄｉｓｐｏｓａｂｌｅ  Ａｂｓｏｒｂｅｎｔ  Ａｒｔｉｃｌｅｓ  Ａｎｄ  Ｄｉｓｐｏｓａｂｌｅ  Ａｂｓｏｒｂｅｎｔ  Ａｒｔｉｃｌｅｓ  Ｈａｖｉｎｇ  Ｓｕｃｈ  Ｔｒｉｓｅｃｔｉｏｎ  Ｔｏｐｓｈｅｅｔｓ）」と言う表題の米国特許第５，２６９，７５５号において開示されている。適切な横方向バリアの例は、ドライヤーらの名義で１９９６年９月１０日に発行された「多数の有効な高さの横方向部分を有する吸収製品（Ａｂｓｏｒｂｅｎｔ  Ａｒｔｉｃｌｅ  Ｈａｖｉｎｇ  Ｍｕｌｔｉｐｌｅ  Ｅｆｆｅｃｔｉｖｅ  Ｈｅｉｇｈｔ  Ｔｒａｎｓｖｅｒｓｅ  Ｐａｒｔｉｔｉｏｎ）」と言う表題の米国特許第５，５５４，１４２号、フリーランドらの名義で１９９４年７月７日に公開された「起立した横方向部分を有する吸収製品（Ａｂｓｏｒｂｅｎｔ  Ａｒｔｉｃｌｅ  Ｈａｖｉｎｇ  Ａｎ  Ｕｐｓｔａｎｄｉｎｇ  Ｔｒａｎｓｖｅｒｓｅ  Ｐａｒｔｉｔｉｏｎ）」と言う表題のＰＣＴ特許ＷＯ９４／１４３９５、およびローらに１９９７年８月５日に発行された「尖った起立した横方向部分を有する吸収製品（Ａｂｓｏｒｂｅｎｔ  Ａｒｔｉｃｌｅ  Ｈａｖｉｎｇ  Ａｎｇｕｌａｒ  Ｕｐｓｔａｎｄｉｎｇ  Ｔｒａｎｓｖｅｒｓｅ  Ｐａｒｔｉｔｉｏｎ）」と言う表題の米国特許第５，６５３，７０３号において記載されている。上記引用された参照文献の全てはここでは参照により本明細書に組み込まれている。
【００２７】
本発明の好ましい態様において、吸収製品２０は、方向について優先性のある汚物通過部材６０すなわち「汚物通過部材」６０を含む。汚物通過部材６０は、着用者の皮膚との接触に至るかまたは着用者の皮膚を汚染する着用者により排出される便、尿または他の身体由来の汚物の量を減少させることを助けることを意図する。接触および皮膚の汚染の減少は、汚物通過部材６０を通過する身体滲出物が皮膚から離れることに由来する。そのとき汚物通過部材６０は、着用者に向かってその厚さを逆流して通過する汚物に対するバリアとして作用する。
【００２８】
具体的には、汚物通過部材６０は、好ましくは、身体に面する表面６２および反対側の着衣に面する表面６４を有する。身体に面する表面６２のすくなくとも一部は、ヒトまたは哺乳類の身体由来の汚物の中に通常見出される物質により溶解されることが可能である１以上の可溶性材料６６を含む。好ましくは、身体に面する表面６２の中に含まれる汚物溶解性物質は、最初に、汚物通過部材６０の構造的一体性を提供することが可能である。排泄の際に、身体由来の汚物は汚物通過部材６０の一部を溶解し、それにより、汚物の通過を可能として、好ましくは汚物と汚物通過部材６０との間の接触の領域において汚物通過部材６０のすくなくとも一部の構造的一体性を消去させる。
【００２９】
限定されないが、水分、ｐＨ、酵素、温度、圧力、化学物質（例えば、塩、タンパク質）などを含む身体の排出物のさまざまの特性は、材料６６の溶解を解発すなわち開始させ得る。汚物通過部材６０の溶解は、身体滲出物が着用者の皮膚から離れた方向に汚物通過部材の厚さを通過することを可能とする。さらに、汚物通過部材６０の着衣に面する表面６４のすくなくとも一部は、好ましくは、身体滲出物による濡れおよび／または貫通に抵抗するバリア材料７０を含む。従って、一旦滲出物が汚物通過部材６０を通過すると、それは、汚物により最初に溶解しない汚物通過部材６０のすくなくとも一部の中のバリア材料７０の抵抗特性により着用者の皮膚から隔てられる。
【００３０】
汚物通過部材６０は、いずれか適切な吸収性または非吸収性材料を具備し、多数の形状を取り得る。例えば、汚物通過部材６０のいずれかの部分は、フィルム、ウエブ、スクリム、メッシュ、発泡体、それらの積層体または他の構造などを含み得る。１つの態様において、汚物通過部材６０のすくなくとも一部は、可溶性材料６６のみを含む。別態様において、汚物通過部材６０は、可溶性材料６６によりともに保持されるファイバー、フィラメントなどの様な不溶性要素を含む。（本明細書で用いられるものとして、「不溶性」と言う術語は、汚物溶解性部材６６を溶解することを意図する身体の汚物または他の物体と接触するとき溶解しない材料を称する。）その様な態様においては、可溶性材料６６の分解は、汚物通過部材６０の構造が分解することを可能とする（すなわち、不溶性要素はもはや可溶性材料６６により互いに保持されない）。さらに他の態様においては、汚物通過部材６０は網状不溶性部材８６を含み、その１例が図７において示されている。（本明細書で用いられるものとして、「網状」材料とは、いずれかの反復または非反復パターンで材料の厚さにわたって伸びる空隙、開孔、穴または空間を含むいずれかの材料を称する。空隙は、いずれか特定の大きさまたは形態に限定されない。）網状不溶性部材８６は、身体の汚物が通過し得る空隙８８または開孔を含む。本発明において、空隙８８のすくなくとも一部は、好ましくは、その中に配置される可溶性材料６６を有する。従って、身体の汚物に暴露されたとき、間隙８８に配置されている可溶性材料６６は分解し、身体の汚物の通過のための空隙８６を開く。空隙８８の一部またはすべてもまた、身体の汚物が着用者の皮膚に向かって空隙を通過することを防止するように汚物抵抗性物体６８を含む。可溶性材料６６とともに使用するための適切な網状構造には、開孔フィルム、スクリム、網、製織および不織ウエブ、発泡体などが含まれる。
【００３１】
いずれの態様においても、可溶性材料６６は、汚物通過部材６０の身体に面する表面６２に溜まった滲出物に容易に接触可能であるべきである。適切な水溶性材料には、限定されないが、ポリビニルアルコール、セルロース性材料、でんぷん、ポリビニルアニリン、ポリアクリルアミド、アルギネート、水溶性アルキド組成物、およびそれらの誘導体が含まれる。適切なポリビニルアルコールフィルムの一般例は、商品名「ＡＬＣＡＭ」および「ＡＱＵＡＦＩＬＭ」の下でドイツのフランクフルトのヘキストＡＧから入手可能である。好ましい態様においては、フィルムは、約．００１ないし約０．５ｍｍの厚さであり、好ましくは、約．０５ないし約．０８ｍｍの厚さである。しかしながら、汚物通過部材６０のいずれかの部分は、限定されないが、強度、呼吸性、不透明度および分解速度を含む所望の特性を提供するように異なる厚さおよび／または組成を有し得る。
【００３２】
上記可溶性材料６６は任意にｐＨ感受性であり得る。本明細書で用いられるものとして、「ｐＨ感受性」と言う術語は、あるｐＨ範囲では不溶性であるが、他のｐＨ範囲では可溶性である材料を称する。それ自体として、可溶性材料６６はｐＨしきい値を有し得る。可溶性材料の「ｐＨしきい値」は、材料が可溶性から不溶性にまたはその逆に変化するｐＨである。例えば、可溶性材料６６は、６未満のｐＨでは実質的に不溶性であるが６を超えるｐＨでは可溶性であるかもしれない。従って、その材料のｐＨしきい値は６のｐＨである。本発明の好ましい態様においては、可溶性材料のｐＨしきい値は、好ましくは、約５ないし約９であり、好ましくは約５．５ないし約８．５である。しかしながら、他のｐＨしきい値も考えられる。ｐＨの変化は、可溶性材料６６の分解の原因となるかまたは分解を解発し得るかまたは、汚物通過部材６０の分解の速度を増加させるかまたは減少させる働きをするようにもまた用いられ得る。従って、汚物通過部材６０の性能は、製品に溜まる汚物のタイプおよび量のような要因に依存して変化し得る。典型的なｐＨ感受性可溶性材料は当該技術において公知であり、限定されないが、ポリアクリルアミド、フタレート誘導体、ホルマリン処理されたゼラチン、シェラック、ケラチン、セルロース誘導体（例えば、酸化されたセルロース）、およびポリアクリル酸誘導体が含まれる。他の好ましいｐＨ感受性可溶性材料には、酢酸セルロースフタレート、酢酸ビニル、ポリ酢酸ビニルフタレート、ヒドロキシプロピルメチルセルロースフタレート、およびアクリル酸とアクリルエステルのコポリマーとブレンドされたポリメタクリレートが含まれる。さらに他のｐＨ感受性可溶性材料は、その開示が本明細書に参照により組み込まれる「ｐＨで解発される浸透圧破裂性デリバリーデバイス」と言う表題の欧州特許公開ＥＰ６１２５２０  Ａ２において記載されている。
【００３３】
典型的なｐＨ感受性可溶性フィルムは、表面に、（ペンシルバニア州フィラデルフィアのローム・ハースＣｏ．から入手可能な）「Ｖ９２０」のような約４．８重量％ポリメチルメタクリレート（ＰＭＭＡ）と（ニュージャージー州サマーセット（Ｓｏｍｅｒｓｅｔ）のクレアノバ（Ｃｒｅａｎｏｖａ），Ｉｎｃ．から入手可能なｐＨ感受性材料の）１９．０重量％「ＥＵＤＲＡＧＩＴ  Ｓ−１００」のアセトン溶液の薄層を与え、それがフィルムを形成するまで溶液を乾燥し、表面からフィルムを除去することにより製造され得る。もちろん、ＥＵＤＲＡＧＩＴ  Ｓ−１００対ＰＭＭＡ  Ｖ９２０の比は、例えば、約９５：５から約４０：６０または所望のように変化し得る。このフィルムは、それより高いｐＨでフィルムが水溶性であり、それより低いｐＨでフィルムが実質的に不溶性である約ｐＨ６．５〜７．５のｐＨしきい値を有すると思われる。別のｐＨ感受性フィルムは、テネシー州キングズポート（Ｋｉｎｇｓｐｏｒｔ）のイーストマン・ケミカルＣｏ．から入手可能な３９８−１０のような約１．８重量％酢酸セルロースおよびイリノイ州シカゴのＦＭＣ  Ｃｏｒｐ．から入手可能なＣＤ−９１０のような約４．２重量％酢酸セルロースフタレートを含むアセトン溶液を用いて製造され得る。このフィルムは、約ｐＨ６．０から７．０のｐＨしきい値を有すると思われる。上記の様に、組成物の成分の比は、所望のように変化し得るがしかし、好ましくは、約９５：５ないし約４０：６０である。
【００３４】
可溶性材料６６はまた塩濃度感受性でもあり得る（例えば、低いか高いかいずれかのイオン強度の付近でより可溶性である）。それ自体として、可溶性材料６６は、塩濃度（すなわち、イオン強度）しきい値を有し得る。可溶性材料の「塩濃度しきい値」は、材料が可溶性から不溶性にまたはその逆に変化する塩濃度である。例えば、好ましい態様においては、可溶性材料６６は、蒸留水（すなわち、塩濃度が本質的にゼロである）中では実質的に不溶性であるが、塩含有水中では可溶性であり得る。従って、その材料の塩濃度しきい値は、ちょうどゼロを超えたところにある。このタイプの塩濃度溶解性の感受性を有する典型的な材料には、米国特許第４，２５８，８４９号および第４，２４５，７４４号において記載されているものの様なポリビニルアルコール材料が含まれ、その両方は参照により本明細書に組み込まれる。代わりに、可溶性材料６６は蒸留水中で溶解性であるが、しかし、イオンを含む水の存在下で不溶性であり得る。この別の塩濃度依存性を有する典型的な材料には、ベンゾ（Ｂｅｎｚｏ）１５−クラウン−５（カタログ番号１２３３５）、ベンゾ１５−クラウン−６、（カタログ番号１２３３８）、１５−クラウン−５（カタログ番号２８１２３）および１５−クラウン−６（カタログ番号２８１２５）としてスイスのブッフス（Ｂｕｃｈｓ）のフルカ（Ｆｌｕｋａ）から入手可能なクラウンエーテルが含まれる。好ましくは、それらのクラウンエーテルは、結晶系フィルムの形成を可能とする様に架橋される。塩濃度の変化は、可溶性材料６６の溶解を引き起こすかまたは解発し得るかまたは汚物通過部材６０の分解の速度を増加させるかまたは減少させる働きをするためにもまた用いられ得る。従って、汚物通過部材６０の性能は、製品に溜まる汚物のタイプと量のような要因に依存して変化し得る。
【００３５】
可溶性材料６６はまた温度感受性でもあり得る（例えば、低いかまたは高いかのいずれかの温度でより溶解性である）。それ自体として、可溶性材料６６は、温度しきい値を有し得る。可溶性材料の「温度しきい値」は、材料が不溶性（または固体）から可溶性（または少なくとも部分的に液体）に変化するかまたはその逆に変化する温度である。例えば、好ましい態様において、可溶性材料６６は、冷たい水（例えば、３５℃未満）の中で実質的に不溶性（すなわち固体）であるが、しかし、温かい水の中では可溶性（すなわち、少なくとも部分的に液体）であり得る。従って、その材料の温度しきい値は３５℃である。温度の増加と共に固体から液体への遷移をする典型的な材料には、ワックス、ゼラチン、およびペクチンが含まれる。代わりに、可溶性材料６６は、冷たい水の中では可溶性であるが温かい温度では不溶性であるかもしれない。この別の温度依存性を有する典型的な材料には、ニュージャージー州ネワーク（Ｎｅｗａｒｋ）のジャーケム・インダストリーズ（Ｊａｒｃｈｅｍ  Ｉｎｄｕｓｔｒｉｅｓ）から入手可能なＮＩＰＡＭ（ｎ−イソプロピルアクリルアミド）が含まれる。温度の変化は溶解性材料６６の溶解を引き起こすかまたは解発し得るかまたは、汚物通過部材６０の分解の速度を増加させるかまたは減少させる働きのためにもまた用いられ得る。従って、汚物通過部材６０の性能は、製品に溜まる汚物のタイプと量のような要因に依存して変化し得る。
【００３６】
別態様において、可溶性材料６６の溶解は、酵素活性により解発され得る。例えば、製品に存在する酵素は、身体由来の汚物の加水分解と結びついてｐＨ変化をもたらし、それが今度は可溶性部材６６の分解を促進し得る（例えば、ウレアーゼと尿素の混合物はアンモニアを遊離させ、ｐＨ上昇をもたらす）。代わりに、図４において示されるように、大便の酵素により加水分解されることが可能な加水分解基質８４が汚物通過部材６０の身体に面する表面６２の上にまたはそれに隣接して配置され得る。大便の酵素が加水分解基質８４を加水分解するとき、可溶性材料６６の溶解を解発し得るｐＨ変化が起こる。適切な加水分解基質には、ケラチン、コラーゲン、でんぷん、およびトリグリセリド、尿素、および大便の中に通常見出される酵素についての他の公知の基質が含まれる。汚物の中にｐＨ変化をもたらし得るかまたは汚物通過部材６０の上に配置される加水分解基質８４と接触するとき身体由来の汚物の中に見出される酵素には、限定されないが、プロテアーゼ、リパーゼ、ウレアーゼなどが含まれる。他の態様においては、酵素活性は、汚物通過部材６０が身体由来の汚物の通過を許容するように汚物通過部材６０のいずれかの部分に他の化学的または機械的変化をもたらし得る。いずれの場合においても、酵素活性に由来するｐＨ変化は溶解を解発し得るのみならず、汚物通過部材６０の分解の速度を増加または減少させる働きをもし得る。
【００３７】
更にもう１つの態様においては、汚物通過部材６０は、身体由来の汚物の中に存在する酵素により加水分解されるまで汚物通過部材６０に構造的一体性を提供する酵素分解性材料８２を含み得る。例えば、汚物通過部材６０のすくなくとも一部は、汚物通過部材６０に構造的一体性を提供するコラーゲンフィルムまたはバインダー（または他のタンパク質性材料）を含み得る。トリプシン、キモトリプシン等のような大便の中に見出されるプロテアーゼにより加水分解されるとき、酵素分解性部材８２の構造はその一体性を失い、従って、着用者の皮膚から離れたすくなくとも１方向に身体由来の汚物の通過を可能とする。
【００３８】
汚物通過部材６０の着衣に面する表面６４のすくなくとも一部もまた好ましくはバリア材料７０を含む。上記の様に、バリア材料７０は、汚物通過部材６０を通過する身体由来の汚物が汚物通過部材６０を通過して逆流し、着用者の皮膚を汚染することを防止することを意図する。従って、バリア材料７０は、着用者の皮膚に向かう身体由来の汚物の通過に抵抗し、排除し、または完全に遮蔽するいずれかの材料を含み得る。バリア材料７０は、汚物通過部材６０の着衣表面６４のすべてのまたはいずれかの部分にわたって配置され得る。さらに、バリア材料７０は、汚物通過部材６０に組み込まれ得るかまたは汚物通過部材６０のいずれか他の部分に別にして加えられ得る。バリア材料の発明を限定しない幾つかの例には、シリコーンオイルまたはワックス、ポリテトラフルオロエチレンコーティング、ペトロラタムのような石油系ワックスおよびオイル、シリコーンポリマーなどが含まれる。その様なバリア材料は、液体、固体、または半固形オイル、ワックス、パウダー、ファイバーなどまたはバリア特性を与えることが可能ないずれか他の構造または物体の形態でいずれか公知の手段により与えられ得る。適切なバリア材料の例には、商品名＃２００、＃７４９、および＃１４０１の下でミシシッピ州ミッドランド（Ｍｉｄｌａｎｄ）のダウ・コーニングから入手可能であるシリコーンオイルおよび＃２５０３のようなダウ・コーニングシリコーンワックスが含まれる。付加的に適切なバリア材料には、下記のスキンケア組成物またはその成分のいずれかが含まれる。その様なシリコーンオイルのコーティングレベルは、０．００１から１ｇ／ｃｍ2 の範囲で適切であることが見出された。例えば、＃１４０１ダウ・コーニングオイルは、０．０６ｇ／ｃｍ2 の付着レベルでＰＶＡフィルムの表面に与えられ、続いて、適切なバリアを形成するように３日間空気乾燥にさらされる。
【００３９】
バリア材料７０に加えて、汚物通過部材６０は、着用者の皮膚に近接して汚物通過部材６０を保持するように作用する１種類以上の身体粘着組成物８０を含み得る。その様な身体粘着組成物８０は、汚物通過部材６０を構成する材料と一体であり得るかまたは汚物通過部材６０の全部またはいずれかの部分の上に直接または間接に配置される分離した材料であり得る。１つの好ましい態様においては、図５に示されるように、身体粘着組成物８０は、汚物通過部材６０の身体に面する表面６２の一部に配置されている。特に好ましい態様においては、身体粘着組成物８０は、汚物通過部材６０の周辺のエッジ８５のすくなくとも一部に隣接して配置されている。しかしながら、身体粘着組成物８０が周辺のエッジ８５から離れて位置する態様も考えられる。身体粘着組成物８０は、限定されないが、ライン、ストライプ、ドットなどを含むいずれかのパターンまたは形状で汚物通過部材６０の上に配置され得る。
【００４０】
身体粘着組成物８０は、着用者の皮膚に脱着可能に粘着することが可能ないずれか１種類以上の物質を含み得る。更に、身体粘着組成物８０は、ゲル、ローション、フィルム、ウエブなどの形態で存在し得る。適切な身体粘着組成物の例には、接着剤、ゼラチン、ペトロラタム、シリコーンまたは石油ワックスのようなワックス、シリコーンまたは石油系オイルのようなオイル、下記の様なスキンケア組成物またはその成分などが含まれる。適切な接着剤には、限定されないが、アクリル系ポリマー接着剤などのようなヒドロゲルまたはヒドロコロイド接着剤が含まれる。（幾つかの典型的なヒドロゲルおよび／またはヒドロコロイド接着剤は、米国特許第４，２３１，３６９号、４，５９３，０５３号、４，６９９，１４６号、４，７３８，２５７号および５，７２６，２５０号において開示され、それらのそれぞれは参照により本明細書に組み込まれる。）接着剤はまた、皮膚のような生物の組織についての使用について合致性のあるいずれかの「医療用接着剤」をも含み得る。身体粘着組成物８０としての使用にとって適切なアクリル性医療用接着剤には、名称ＭＡ−４６、ＭＡ−３１２、「ＭＴＴＭ」ハイＭＶＴＲ接着剤、およびＡＳ−１７の下でペンシルバニア州グレンロック（Ｇｌｅｎ  Ｒｏｃｋ）のアドヒーシブ・リサーチ，Ｉｎｃ．から入手可能な接着剤が含まれる。アドヒーシブ・リサーチＩｎｃ．由来のＳＢ−２のようなゴム系医療用接着剤もまた適切であろう。他の典型的な接着剤には、ミシシッピ州ミッドランドのダウコーニングから入手可能なダウコーニングメディカルアドヒーシブ（タイプＢ）、イリノイ州リバティービル（Ｌｉｂｅｒｔｙｖｉｌｌｅ）のホリスター（Ｈｏｌｌｉｓｔｅｒ）Ｉｎｃ．由来の「ＭＥＤＩＣＡＬ  ＡＤＨＥＳＩＶＥ」、ミネソタ州セントポールの３Ｍ  Ｃｏｒｐ．から入手可能な３Ｍ  スプレー・アドヒーシブズ＃７９、７６、７７および９０、ならびにミシシッピ州ファーンデール（Ｆｅｒｎｄａｌｅ）のファーンデール・ラボラトリーズから入手可能な「ＭＡＴＩＳＯＬ」液体接着剤が含まれる。他の医療用接着剤は、米国特許第４，０７８，５６８号、４，１４０，１１５号、４，１９２，７８５号、４，３９３，０８０号、４，５０５，９７６号、４，５５１，４９０号、４，７６８，５０３号において記載されており、ポリアクリレートおよびポリメタクリレートヒドロゲル接着剤は、米国特許第５，６１４，５８６号および５，６７４，２７５号において開示されており、それらのそれぞれの開示は参照により本明細書に組み込まれる。ポリビニルピロリドンおよび多官能基アミン含有ポリマーを含むさらにもう１つの典型的な接着剤は、ＷＯ９４／１３２３５Ａ１において開示されている。（それらの参照文献のそれぞれの開示は参照により本明細書に組み込まれる。）上記のものの代わりにまたは加えて用いられ得る代わりの身体接着手段には静電気、吸引などが含まれる。いずれの場合においても、身体粘着組成物８０は蒸気が通過することを可能とし（すなわち呼吸性）、皮膚に合致性があり、さもなければ皮膚にフレンドリーであることが好ましい。
【００４１】
共に係属するＥＰＯ出願番号９７１１０７３０．５および９７１２０３３６．９（それらの両方は参照により本明細書に組み込まれる）において記載される好ましい態様においては、皮膚からの身体粘着組成物の除去は比較的痛みを伴わない。それらの態様においては、身体接着剤または身体粘着組成物は、Ｃ’37と略称される３７℃（華氏１００度）の温度における弾性モジュラスおよびＧ’’37の３７℃（華氏１００度）の温度における粘性モジュラスを有する。接着剤は更に、１００ｒａｄ／ｓｅｃの周波数におけるＧ’37と１ｒａｄ／ｓｅｃの周波数におけるＧ’37の差であるΔＧ’37として定義される動的弾性挙動と１００ｒａｄ／ｓｅｃの周波数におけるＧ’’37と１ｒａｄ／ｓｅｃの周波数におけるＧ’’37の差である動的粘性挙動ΔＧ’’37を有する。さらに、身体接着剤は好ましくは以下の条件を満足させる。
【００４２】
Ｇ’37（１ｒａｄ／ｓｅｃ）は、約１５００Ｐａから約２００００Ｐａ、好ましくは約１５００Ｐａから約１５０００Ｐａ、最も好ましくは、約３０００Ｐａから約１００００Ｐａの範囲に存在する。
【００４３】
Ｇ’’37（１ｒａｄ／ｓｅｃ）は、約１００Ｐａから約１５０００Ｐａ、好ましくは約１００Ｐａから約１００００Ｐａ、最も好ましくは３００Ｐａから約５０００Ｐａの範囲に存在する。
【００４４】
Ｇ’37（１ｒａｄ／ｓｅｃ）／Ｇ’’37（１ｒａｄ／ｓｅｃ）の比は、約３から約３０の範囲に存在する。
【００４５】
比｛Ｇ’37（１００ｒａｄ／ｓｅｃ）−Ｇ’’37（１００ｒａｄ／ｓｅｃ）／Ｇ’37（１ｒａｄ／ｓｅｃ）−Ｇ’’37（１ｒａｄ／ｓｅｃ）｝は、約０．５未満ではなく、好ましくは約０．７から３の範囲にあり、最も好ましくは約１から約１．８の範囲にある。
【００４６】
ΔＧ’37／Ｇ’37（１ｒａｄ／ｓｅｃ）の比は、約１．５を超えず、好ましくは約０．８を超えず、またはΔＧ’37は約１００００Ｐａを超えず、好ましくは５０００Ｐａ未満であり、最も好ましくは約２０００Ｐａ未満であるかのいずれかであるかまたは両方である。
【００４７】
すくなくとも約１ｒａｄ／ｓから１００ｒａｄ／ｓまでの周波数範囲についての比Ｇ’37／Ｇ’’37の値は、いずれの周波数間隔においても約５０、好ましくは約３０を超えないけれども、好ましくは約３．３以上、より好ましくは約５以上、最も好ましくは約１０以上であるべきである。
【００４８】
所望の特性を得るために、身体粘着組成物は、０．５から２０重量％、好ましくは５％から１５重量％の大分子量ポリマー物質または下記可塑化剤の中で可溶性または膨潤性のそのような物質の混合物を含み得る。発明を限定しない例として、そのような大分子量すなわちポリマー物質は、天然のガムまたは天然のガムとゼラチンのような誘導体、その誘導体とアルギネート、ポリアクリル、ポリビニルアルコール、ポリエチレンオキシド、ポリビニルピロリドン（ＰＶＰ）またはポリビニルエーテル、そのコポリマーおよび誘導体、セルロース誘導体、ブロックコポリマー熱可塑性エラストマーおよび好ましくはスチレンブロックコポリマーおよびより好ましくは水素化されたグレードのスチロール／エチレン−ブチレン／スチロール（ＳＥＢＳ）、スチレン／イソプレン／スチレン（ＳＩＳ）、およびスチロール／エチレン−プロピレン／スチロール（ＳＥＰＳ）のような天然物および／または合成品であり得る。更に、好ましい身体接着剤組成物は、室温で液体である４５から９９．５重量％、好ましくは５１から９９．５重量％の可塑化物質または可塑化物質の混合物を含み得る。発明を限定しない例として、可塑化剤は、水、（特にグリセロールのような）さまざまのアルコール、グリコールおよびそのエーテル、ポリグリコール、液体ポリブテン、フタレート、アジペート、ステアレート、パルミテート、セバケート、またはミリステートのようなエステル、植物油、鉱油のような天然または合成油、またはそれらの組み合わせであり得る。更に、身体接着剤は、０％から５０重量％の組成物、好ましくは０％から６００重量％の大分子量ポリマー物質、その主たる範囲が特に合成高分子に基づく系においてＴｇを調節すべきである粘着性樹脂を含み得る。また、好ましい身体接着剤は、０から１０重量％、より好ましくは０から５重量％の、親水性または疎水性液体可塑化剤の両方のゲルおよびゲル形成プロセスを促進し、安定化させるための物体を含み得る。それらは、例えば、Ｃ8 からＣ22の脂肪酸、その金属塩およびそのポリオキソ誘導体、ラノリン誘導体、シリカ、ベントナイト、モンモリロナイトおよびその誘導体、ポリアミド、ワックスまたはそれらの混合物のような油性の系のためのものであり得る。
【００４９】
保存料、抗酸化剤、抗ＵＶ剤、顔料、鉱物フィラー、レオロジー改良剤、等として当該技術において公知の一般的な添加剤もまたそれぞれ１０％までの量で含まれ得る。また、化学的架橋が系の中で形成されるとき、架橋剤は好ましくは５重量％までの量で存在し得る。化学的架橋は、酸性ポリアクリルと多糖とのあいだの反応による異なる官能基を有するポリマーの相互中和によってもまた形成され得る。
【００５０】
身体接着組成物として、それとともに、またはその代わりに用いられ得る適切なスキンケア組成物には、市販のヒトへの使用のための皮膚の保護薬剤製品についての米国連邦食品薬品局（ＦＤＡ）の仮の最終モノグラフにより定義されるものとしてのカテゴリーＩ活性成分が含まれ、それには現在、アラントイン、アルミニウムヒドロオキシドゲル、カラマイン、ココアバター、ジメチコン、（組み合わせで）タラ肝油、グリセリン、カオリン、ペトロラタム、ラノリン、鉱油、サメ肝油、白色ペトロラタム、タルク、トピカルスターチ、酢酸亜鉛、炭酸亜鉛、酸化亜鉛などが含まれる。他の潜在的に有用な材料は、市販のヒトへの使用のための皮膚の保護薬剤製品についての米国連邦食品薬品局の仮の最終モノグラフにより定義されるものとしてのカテゴリーＩＩＩ活性成分であり、それは現在、生の酵母細胞誘導物、アルディオキサ、酢酸アルミニウム、微小多孔性セルロース、コレカルシフェロール、コロイダルオートミール、システィン塩酸塩、デクスパンタノール、ペルー産バルサムオイル、タンパク質加水分解物、ラセメチオニン、重炭酸ナトリウム、ビタミンＡなどを含む。ＦＤＡのモノグラフに掲載されているスキンケア成分の多くは、現在、「Ａ  ＡＮＤ  Ｄ」軟膏、「ＶＡＳＥＬＩＮＥ」石油ゼリー、「ＤＥＳＩＴＩＮ」おむつかぶれ軟膏およびデイリーケア軟膏、「ＧＯＬＤ  ＢＯＮＤ」医療用ベビーパウダー、「ＡＱＵＡＰＨＯＲ」治癒軟膏、「ＢＡＢＹ  ＭＡＧＩＣ」ベビーローション、「ＪＯＨＮＳＯＮ’Ｓ  ＵＬＴＲＡ  ＳＥＮＳＩＴＩＶＥ」ベビークリーム、ジョンソンのベビーローション、リップバームなどのような商業的に入手可能なスキンケア製品において利用されている。他の適切なスキンケア組成物（例えばローション）は、米国特許第５，６４３，５８８号、米国特許第５，６０７，７６０号、米国特許第５,６０９５８７号、および米国特許第５，６３５，１９１号において詳細に記載されており、それらの参照文献のそれぞれは参照により本明細書に組み込まれる。
【００５１】
スキンケア組成物は、（大便の化学的改変剤）、ｐＨ調節剤、酵素阻害剤、抗微生物剤、（シクロデキストリンまたは活性炭のような）脱臭剤または抗微生物剤もまた含み得る。酵素阻害剤の例には、プロテアーゼインヒビター（例えば、ヘキサミジン誘導体）、リパーゼインヒビター（例えば、トリアセチン）、ウレアーゼインヒビターなどが含まれる。クエン酸は、適切なプロトン供与ｐＨ調節剤の１例である。１つの好ましい態様において、約５７重量％のペトロラタム、約４２重量％のステアリルアルコール、および約１％のアロエエクストラクトを含むスキンケア組成物は、約５ｍｇ／ｃｍ2 の付着レベルで汚物通過部材６０の外側１ｃｍに付与される。
【００５２】
図１および２は、汚物通過部材６０がおむつ２０の様な吸収製品に恒久的に結合する本発明の１つの好ましい態様を示す。汚物通過部材６０はおむつ２０の中または上のいずれの場所にも位置し得るけれども、汚物通過部材６０のすくなくとも一部がクロッチ領域３７の中に配置されるように位置することが好ましい。汚物通過部材６０のすくなくとも一部が使用のあいだ着用者の皮膚と密着して接触するように汚物通過部材６０が配置されることもまた好ましい。従って、汚物通過部材６０は、コア２８の身体に面する表面４７に隣接して位置し得る。もしおむつ２０がトップシート２４を含むならば、汚物通過部材６０は好ましくは、トップシート２４の頂部上に、またはそれから外側に、そして着用者の身体に向かって位置する。この形状は、トップシート２４が汚物通過部材６０を通る身体の汚物の動きを妨げないことを保証するであろう。代わりに、汚物通過部材６０は、トップシート２４の下に、またはトップシートとコア２８もしくは他の下にある構造との間に配置され得る。他の態様において、汚物通過部材６０は、トップシート２４の一体的部分またはカフス、横方向バリア、ポケット要素などの様なおむつのいずれか他の部分であり得る。いずれの場合においても、ボイドおよび／または離間要素もしくは離間部材によりおむつ２０の下部構造から分離するように汚物通過部材６０を設計することが好ましいであろう。図２において示されるもののようなボイド９０は、汚物が溜められ得るか、および／または着用者の皮膚から離れて固定され得る位置を提供することにより汚物通過部材６０、したがっておむつ２０の有効性を増加させ得る。ボイド９０は、汚物通過部材６０を短縮する弾性または収縮部材、またはおむつ２０の一部を物理的に分離する構造を提供する（上記のものを含む）離間部材を含むいずれか公知の要素または手段により創出され得る。汚物通過部材６０のすくなくとも一部をクロッチ領域３７のすくなくとも一部の中のおむつ２０の下部構造への付着から自由にしておくこともまた望ましいであろう。
【００５３】
上記の様に、汚物通過部材６０は、おむつ２０の中にどこにでも配置され得るし、トップシート２４のようなそのいずれかの部分とも一体化され得るしまたは結合し得る。図１において示されるように、１つの好ましい態様においては、汚物通過部材６０はトップシート２４とは別の要素であり、使用の間に着用者の皮膚に向かってトップシート２４から外側に配置される。汚物通過部材６０は、クロッチ領域３７を通って第１腰部領域３６から第２腰部領域３８に伸びる。好ましくは、汚物通過部材６０はその周囲エッジ８５のまわりに結合し、最も好ましくは腰部領域の少なくとも１つの中に結合する。図２において示されるように、汚物通過部材６０は第１腰部領域３６と第２腰部領域３８の両方のおむつ２０の下部構造に結合し得る。他の態様において、汚物通過部材６０は、単数また複数のバリア脚部カフス、横方向バリア、汚物ポケット、またはおむつ２０のいずれか他の要素または構造を構成し、それらに結合し、またはそれらと一体的であり得る。いずれの場合においても、汚物通過部材６０は、部材のすくなくとも一部が、おむつが着用されている間着用者の肛門、尿道、および／または膣に隣接して位置するように配置されることが好ましい。
【００５４】
もし汚物通過部材６０がおむつ２０のいずれかの部分に結合するならば、それは、おむつの下部構造に連続的または断続的に結合し得る。更に、汚物通過部材６０は、おむつ２０に恒久的に結合し得るかまたは開放可能もしくは再固着可能に結合し得る。適切な恒久的結合手段には、限定されないが、接着剤、熱、圧力、レーザー、超音波、電磁波結合、それらの組み合わせまたはいずれか他の公知の結合手段が含まれる。適切な開放可能で再固着可能な結合手段には、限定されないが、フック・アンド・ループ・ファスナー、接着剤、スナップ、クリップ、磁石結合、静電結合などが含まれる。
【００５５】
汚物通過部材６０はまた、汚物の貫通を助けるために、単数または複数の開孔、スリット、スロット、穿孔および／または柔弱化された領域も含み得る。更に、可溶性材料６６の分解の速度は、可溶性材料６６の強度または厚さを減少させるかまたはその有効表面積を増加させる（すなわち、それを粗面化し、筋付けし、穿孔し、またはスリット形成することによる）ことにより大きくし得る。他の公知の機械的および／または化学的修飾が、限定されないが、強度、呼吸性、粘着性、貫通性、感触および美観を含むいずれか他の所望の特性を与えるために汚物通過部材６０になされ得る。
【００５６】
汚物通過部材６０の一部または全部に弾力性または伸長特性を与えることもまた望ましいであろう。例えば、汚物通過部材６０の一部は、汚物通過部材６０をギャザリングし（収縮させ）、使用のあいだ着用者の皮膚にそれが近づくように引く弾性体を含み得る。弾性材料は、常にまたは単にある種の機械的または化学的入力の前後に弾力性を提供し得る。例えば、汚物通過部材６０は、熱または水のそれぞれに供された後汚物通過部材６０をギャザリングする熱収縮性で水で活性化する弾性要素を含み得る。従って、汚物通過部材６０が、着用されるまで、またはエラストマーを活性化し、汚物通過部材６０を収縮させる身体由来の汚物を着用者が排泄するまで、トップシート２４、存在するならばコア２８または他の下にある構造に沿って平坦に存在する態様が考えられる。代わりに、汚物通過部材６０それ自体は、エラストマー性または伸長性材料を含み得るかまたは、弾性体様の伸長特性を与えるように加工処理され得る。非弾性材料に弾性体様伸長特性を与えるための適切な手段は、参照により本明細書に組み込まれる上記米国特許第５，５１８，８０１号において記載されている。
【００５７】
本明細書に記載されている使い捨て吸収製品に対する別態様において、汚物通過部材６０は、おむつ、成人失禁デバイス、生理用ナプキン、おむつカバーなどのような封入製品とともに用いられ得るかまたはそれらとは独立の分離構造であり得る。図３および５において示されるように、汚物通過部材６０は、身体表面６２および着衣表面６４を有する単一材料を含み得る。上記の様に、身体表面６２のすくなくとも一部は、好ましくは、身体由来の汚物に溶解性の材料６６を含む。すなわち、身体表面６２のすくなくとも一部は、汚物が着用者の皮膚から離れる方向に汚物通過部材６０を通過することを許容するようにある種の身体由来の汚物と接触するとき溶解するであろう。上記態様については、着衣表面６４のすくなくとも一部は、汚物の動きが着用者の皮膚に向かって汚物通過部材６０を逆流することに抵抗するか妨げるバリア材料７０を含む。
【００５８】
おむつのような製品に一体化されないならば、汚物通過部材６０が着用者の身体に極めて近接してそれ自体を維持するある手段を有することは重要である。ベルト、ストラップまたは他の公知の手段が用いられ得るけれども、汚物通過部材６０が上記の様な身体接着組成物８０を含むことが好ましい。身体接着組成物８０は、汚物通過部材６０の上のいずれにも配置され得る。好ましい態様において、身体接着組成物８０は、可溶性材料６６の溶解性を実質的に妨げることなく、汚物通過部材６０が所望の位置（例えば肛門および／または尿道のまわり）の身体にしっかりと粘着することを可能とする様に身体表面６２の上に選択的に配置される。
【００５９】
汚物通過部材６０は、いずれの形態および／または大きさでもあり得る。図３および５において示されるように好ましい態様において、汚物通過部材６０は、一般的に長方形または一般的に砂時計型であり得る。しかしながら、限定されないが、円、楕円、正方形、三角形などを含む他の形態も考慮される。汚物通過部材６０が肛門、尿道または膣のような身体の異なる部分に近接して適合することを可能とする他のより複雑な形態もまた考えられる。１つの好ましい態様において、汚物通過部材６０は長方形であり、約１０ｃｍ×約３０ｃｍの寸法を有する。
【００６０】
汚物通過部材６０は、弾性体、スリット、３次元形状などの様な他の形態または適合要素をも含み得る。更に、汚物通過部材６０は、おむつ、失禁着衣、下着等のような製品に汚物通過部材６０を結合させるためのファスナーを含み得る。その様なファスナーには、限定はされないが、ボタン、ジッパー、テープ、フック・アンド・ループ・ファスナー、スナップ、バックルなどが含まれ得る。
【００６１】
本発明の特定の態様が例示され、記載されてきたけれども、当業者にとっては、さまざまの他の変更および修正が発明の精神および範囲から逸脱することなくなされ得ることが明らかであろう。それゆえ、本発明の範囲内にあるすべてのそのような変更および修正を特許請求の範囲の中でカバーすることが意図されている。
【図面の簡単な説明】
明細書は本発明とみなされる主題を特別に指摘し、明確に権利請求する特許請求の範囲を含むけれども、本明細書の記載は、同様の名称が実質的に同一の要素を称するために用いられる添付の図面とともに理解される以下の記述からよりよく理解されるであろうと思われる。
【図１】  図１は、本発明の１つの態様を含むおむつの平面図である。
【図２】  図２は、着用者に対して形状が適合するであろうものとして示された本発明の１つの態様の断面図である。
【図３】  図３は、本発明の、方向について優先性のある汚物通過部材の１つの態様の平面図である。
【図４】  図４は、図２において示された、方向について優先性のある汚物通過部材の断面図である。
【図５】  図５は、方向について優先性のある汚物通過部材の別態様の断面図である。
【図６】  図６は、本発明の別態様の平面図である。
【図７】  図７は、本発明の方向について優先性のある汚物通過部材の１つの態様の部分拡大図である。
【符号の説明】
２０…おむつ、２４…トップシート、２６…バックシート、２８…吸収性コア、３０…サイドパネル、３２…弾性脚部カフス、３４…弾性腰部要素、４０…ファスナーシステム、６０…汚物通過部材、６８…汚物抵抗性物体、８０…身体粘着組成物、８６…網状不溶性部材
【図１】
0004489293.tif 000002
【図２】
0004489293.tif 000003
【図３】
0004489293.tif 000004
【図４】
0004489293.tif 000005
【図５】
0004489293.tif 000006
【図６】
0004489293.tif 000007
【図７】
0004489293.tif 000008